(57)【要約】【課題】  既に端子台に接続されている配電線に対して別のケーブルを容易に接続することを可能にし、しかも、接続後にケーブルが外れるのを防ぐ端子台接続用装置を提供する。【解決手段】  板状の板本体１１Ａと、板本体１１Ａの表面から裏面に至る少なくとも１つの貫通孔１１Ｃとで形成される台部１と、台部１の貫通孔１１Ｃを貫通する導電性の棒状の接触部本体３１Ａと、板本体１１Ａに対して交差する方向に接触部本体３１Ａを移動可能に台部１にそれぞれ保持する可動部３１Ｄとで形成される接触部３と、台部１の板本体１１Ａの裏面に設けられ、板本体１１Ａと共に端子台を挟んで保持する脚部２とを備え、貫通孔１１Ｃが端子台の接続具と向かい合うように配置されて脚部２により端子台に保持され、接触部本体３１Ａにより端子台の接続具に電気的に接続される。【選択図】  図１
2008077895.tif 000002
【特許請求の範囲】
【請求項１】
板状の端子台本体の表面側の幅方向に複数設けられると共に前記端子台本体の正面側に配置されたケーブルの端子を接続する接続具と、前記端子台本体の表面に設けられると共に前記各接続具を仕切る絶縁壁とを備える端子台に対して使用される端子台接続用装置であって、
板状の板本体と、前記板本体の表面から裏面に至る少なくとも１つの貫通孔とで形成される台部と、
前記台部の各貫通孔を貫通する導電性の棒状の接触体と、前記板本体に対して交差する方向に前記接触体を移動可能に前記台部にそれぞれ保持する保持体とで形成される接触部と、
前記台部の板本体の裏面に設けられ、前記板本体と共に前記端子台を挟んで保持する止め具と、
を備え、前記貫通孔が前記端子台の接続具と向かい合うように配置されて前記止め具により前記端子台に保持され、前記接触体により前記端子台の接続具に電気的に接続されることを特徴とする端子台接続用装置。
【請求項２】
前記保持体は、前記接触体とネジのかみ合いにより、前記接触体を移動可能にそれぞれ保持することを特徴とする請求項１に記載の端子台接続用装置。
【請求項３】
前記板本体の表面から突出している前記接触体の部分に、ネジによりかみ合う固定具を備えることを特徴とする請求項２に記載の端子台接続用装置。
【請求項４】
前記止め具は、
前記板本体の裏面に設けられると共に前記端子台の正面側に位置するように配置されている外脚部と、
前記外脚部に対して出し入れ可能に設けられ、前記板本体と向かい合うように突出している突出部分を具備する内脚部と、
前記内脚部を前記外脚部に引き寄せる弾性体と、
を備えることを特徴とする請求項１〜３のいずれか１項に記載の端子台接続用装置。
【請求項５】
前記外脚部は、前記端子台の側面に位置するように、前記板本体の裏面に配置されていることを特徴とする請求項４に記載の端子台接続用装置。
【請求項６】
前記保持体は前記板本体を移動可能に設けられていることを特徴とする請求項１〜５のいずれか１項に記載の端子台接続用装置。
【発明の詳細な説明】
【技術分野】
【０００１】
この発明は、導電性のケーブルを端子台に接続する端子台接続用装置に関する。
【背景技術】
【０００２】
端子台は各種装置に設置され、装置に対する配線などに用いられている。こうした端子台の一例を図１５に示す。図１５（ａ）に示すように、端子台１００には、板状の端子台本体１１０の表面側に２列に並んで、端子台本体１１０の幅方向に接続具１２０が設けられている。各接続具１２０は、配電用のケーブル（以下、「配電線」という）の端子を接続するためのものであり、接続ネジ１２１やワッシャ１２２などを備えている。図１５（ｂ）に示すように、端子台本体１１０の表面には、各接続具１２０を分離して絶縁するための絶縁壁１１１〜１１３が設けられている。絶縁壁１１１は端子台本体１１０の中央に設けられている中央壁であり、絶縁壁１１２は端子台本体１１０の側面に設けられている側壁である。絶縁壁１１３は接続具１２０を分離する分離壁である。端子台本体１１０と絶縁壁１１１〜１１３とは絶縁体で作られ、かつ、絶縁壁１１１〜１１３は端子台本体１１０に一体で形成されている。なお、絶縁壁１１１の両側面側には、端子台１００を装置等に取り付けるための取り付けネジ１３０が設けられている。また、端子台本体１１０の裏面から絶縁壁１１１〜１１３の端面までの距離は高さＨである。
【０００３】
このような端子台１００に既に設置されている配電線に対して、別のケーブルを接続するときがある。例えば、端子台１００がリレー盤に接続されている変流器回路（以下、「ＣＴ回路」という）の端子台として用いられている場合がある。このような場合、例えばリレー取り替えの際の実負荷試験時に、図１６に示すように、ＣＴ回路の端子台１００に接続されている盤外側の配電線２０１〜２０４の端子２０１Ａ〜２０４Ａに対して、図１７に示すように、作業者が測定器２１０からのケーブル２１１〜２１４のクリップ２１１Ａ〜２１４Ａを挟んで測定器２１０を接続する。この後、作業者は、開放がないことを確認して端子台１００の接続ネジ１２１をそれぞれ外し、図１６に示す盤内側の配電線２０５、２０６を図１７に示すように開放する。そして、作業者は測定器２１０を用いて測定を行う。
【発明の開示】
【発明が解決しようとする課題】
【０００４】
ところで、端子台に対して測定のためにクリップを挟んでケーブルを接続した後、端子の形状や大きさなどによってクリップが外れやすい場合がある。このような場合、ケーブルに力が加わったときに、クリップが端子から外れることがある。このとき、外れたクリップが他の端子を短絡して測定器などに影響を与え、また、ＣＴ回路の端子台では、開放になるとＣＴ回路に大きな起電力が発生し、例えば端子台の絶縁性などに影響を及ぼすことがある。
【０００５】
さらに、端子台に接続されている配電線が入り組んでいるときには、端子間をクリップで短絡しないように、クリップを端子に挟む必要があり、測定器等からのケーブルを端子台に接続するための作業性が悪い。
【０００６】
この発明の目的は、前記の課題を解決し、既に端子台に接続されている配電線に対して別のケーブルを容易に接続することを可能にし、しかも、接続後にケーブルが外れるのを防ぐ端子台接続用装置を提供することにある。
【課題を解決するための手段】
【０００７】
前記の課題を解決するために、請求項１の発明は、板状の端子台本体の表面側の幅方向に複数設けられると共に前記端子台本体の正面側に配置されたケーブルの端子を接続する接続具と、前記端子台本体の表面に設けられると共に前記各接続具を仕切る絶縁壁とを備える端子台に対して使用される端子台接続用装置であって、板状の板本体と、前記板本体の表面から裏面に至る少なくとも１つの貫通孔とで形成される台部と、前記台部の各貫通孔を貫通する導電性の棒状の接触体と、前記板本体に対して交差する方向に前記接触体を移動可能に前記台部にそれぞれ保持する保持体とで形成される接触部と、前記台部の板本体の裏面に設けられ、前記板本体と共に前記端子台を挟んで保持する止め具とを備え、前記貫通孔が前記端子台の接続具と向かい合うように配置されて前記止め具により前記端子台に保持され、前記接触体により前記端子台の接続具に電気的に接続されることを特徴とする端子台接続用装置である。
【０００８】
請求項１の発明は、端子台本体の表面側の幅方向に複数設けられると共にケーブルの端子を接続する接続具と、端子台本体の表面に設けられると共に各接続具を仕切る絶縁壁とを備える端子台に使用される。請求項１による端子台接続用装置の台部の貫通孔が接続具と向かい合うように配置されて、端子台接続用装置が止め具により端子台に保持される。また、接触体は、端子台の接続具との接触により、接続具に電気的に接続される。この状態のときに、クリップを接触体に挟んで、測定器等からのケーブルを端子台の接続具に接続する。
【０００９】
請求項２の発明は、請求項１に記載の端子台接続用装置において、前記保持体は、前記接触体とネジのかみ合いにより、前記接触体を移動可能にそれぞれ保持することを特徴とする。
【００１０】
請求項３の発明は、請求項２に記載の端子台接続用装置において、前記板本体の表面から突出している前記接触体の部分に、ネジによりかみ合う固定具を備えることを特徴とする。
【００１１】
請求項４の発明は、請求項１〜３のいずれか１項に記載の端子台接続用装置において、前記止め具は、前記板本体の裏面に設けられると共に前記端子台の正面側に位置するように配置されている外脚部と、前記外脚部に対して出し入れ可能に設けられ、前記板本体と向かい合うように突出している突出部分を具備する内脚部と、前記内脚部を前記外脚部に引き寄せる弾性体とを備えることを特徴とする。
【００１２】
請求項５の発明は、請求項４に記載の端子台接続用装置において、前記外脚部は、前記端子台の側面に位置するように、前記板本体の裏面に配置されていることを特徴とする。
【００１３】
請求項６の発明は、請求項１〜５のいずれか１項に記載の端子台接続用装置において、前記保持体は前記板本体を移動可能に設けられていることを特徴とする。
【発明の効果】
【００１４】
請求項１の発明により、端子台接続用装置が端子台に保持された状態にあるとき、台部の板本体の表面から突出している接触体をクリップで挟むことにより、測定器等からのケーブルを端子台の接続具に接続することができる。このとき、接触体の周囲にはケーブルが配線されていないので、クリップによる接続を容易に行うことができる。また、棒状の接触体をクリップで挟むので、例えば平板状の端子をクリップで挟む場合に比べてクリップが外れにくい。
【００１５】
請求項２の発明により、端子台接続用装置を端子台に保持した後、接触体を回して端子台の接続具に接触させれば、接触体と端子台の接続具との電気的な接触状態を良好に保つことができる。
【００１６】
請求項３の発明により、端子台接続用装置を端子台に保持した後、固定具と保持体との間にＵ端子を挟んで固定すれば、Ｕ端子を用いてケーブルを端子台の接続具に電気的に接続をすることを可能にする。
【００１７】
請求項４の発明により、端子台接続用装置を端子台に固定する際に、板本体と止め具の突出部分とで端子台の正面側から端子台を挟めば、弾性体により内脚部を外脚部に引き寄せるので、端子台に対する端子台接続用装置の固定を簡単に行うことができる。
【００１８】
請求項５の発明により、外脚部が端子台の側面に位置するように配置されているので、端子台の幅方向から端子台を挟んで固定することができる。この結果、端子台の正面側にはケーブルが接続具にあらかじめ接続されていて、ケーブルが入り組んでいるが、端子台の側面にはケーブルが接続されていないので、端子台を固定するための作業を容易に行うことを可能にする。
【００１９】
請求項６の発明により、端子台接続用装置を端子台に保持した後、接触体を端子台の接続具に接触させる際に、接触体の位置が接続具に対してずれていれば、保持体を動かして接触体の位置を修正し、接触体と接続具との接続を確実なものにすることができる。
【発明を実施するための最良の形態】
【００２０】
次に、この発明の実施の形態について、図面を用いて詳しく説明する。なお、以下の実施の形態では、先に説明した図１５の端子台１００を利用する場合を例として説明する。
【００２１】
（実施の形態１）
この実施の形態による端子台接続用装置を図１〜図３に示す。この端子台接続用装置は、台部１と脚部２と接触部３とを備えている。台部１は端子台１００（図１５）に設けられている絶縁壁１１１〜１１３の中で少なくとも１つの絶縁壁の端面と接触するためのものであり、長方形状の絶縁体である板本体１１Ａで作られている。台部１の中央には台部１の表面１１Ａ1から裏面１１Ａ2に貫通する矩形状の貫通孔１１Ｃが開けられ、裏面１１Ａ2の短辺側の両角、つまり、裏面１１Ａ2の幅方向に位置する両角には２本の脚部２が設けられている。貫通孔１１Ｃは台部１の裏面１１Ａ2側が段差形状であり、裏面１１Ａ2側で大きくなっている。これにより、貫通孔１１Ｃの周囲の台部１には薄板部分１１Ｂが形成される。
【００２２】
脚部２は、台部１と共に端子台１００（図１５）を挟むためのものであり、図４に示すように、外脚２１Ａと内脚２１Ｂとスプリング２１Ｃとを備えている。直方体状の外脚２１Ａは、その長手方向が台部１の裏面１１Ａ2と交差するように台部１に対して一体で形成され、かつ、絶縁体で作られている。外脚２には、その長手方向に沿って直方体状の空洞２１Ａ11が開けられ、空洞２１Ａ11により外脚２１Ａの端面２１Ａ1には開口２１Ａ12が形成されている。開口２１Ａ12からは内脚２１Ｂが空洞２１Ａ11に差し込まれている。内脚２１Ｂは外脚２１Ａの長手方向およびその逆方向に空洞２１Ａ11を移動することが可能である。内脚２１Ｂは絶縁体で作られ、各内脚２１Ｂの一端は互いに平行になるようにＬ字状に折り曲げられて、台部１の裏面１１Ａ2と向かい合うように内脚２１Ｂに突出部分２１Ｂ1が形成されている。
【００２３】
内脚２１Ｂの他端と空洞２１Ａ11の底との間にはスプリング２１Ｃが取り付けられている。スプリング２１Ｃは通常縮んだ状態にある。この結果、スプリング２１Ｃは、内脚２１Ｂを空洞２１Ａ11の底に向かって引き寄せている。スプリング２１Ｃが縮んだ状態のとき、内脚２１Ｂの突出部分２１Ｂ1から台部１の裏面１１Ａ2までの距離Ｄが端子台１００（図１５）の高さＨよりも短く、スプリング２１Ｃが伸びた状態では、距離Ｄが端子台１００の高さＨよりも長くなる。
【００２４】
接触部３は、端子台１００（図１５）に設けられている接続具１２０の接続ネジ１２１と接触するものであり、図５に示すように、接触部本体３１Ａ、ノブ３１Ｂ、接触子３１Ｃ、および可動部３１Ｄを備えている。丸棒状の接触部本体３１Ａは金属等の導電材で作られ、一端にノブ３１Ｂが取り付けられ、他端に接触子３１Ｃが取り付けられている。ノブ３１Ｂは絶縁材で作られ作業者の手で回される。円板状の接触子３１Ｃは、金属等の導電材で作られ、接触部本体３１Ａと一体で形成されている。接触子３１Ｃは端子台１００（図１５）の接続ネジ１２１と接触する。このために、接触子３１Ｃとして、接続ネジ１２１に当たる面の中央が窪んでいるものでもよい。接触部本体３１Ａの外壁面には雄ネジが切られている。
【００２５】
可動部３１Ｄは金属等の導電材で作られている。円柱状の可動部３１Ｄには中心に貫通孔が開けられ、さらに、この貫通孔の内壁面には雌ネジが切られている。これにより、接触部本体３１Ａの雄ネジが可動部３１Ｄの雌ネジにかみ合い、このかみ合いにより、ノブ３１Ｂを回すと、接触部本体３１Ａの長手方向に接触子３１Ｃを動かすことが可能になる。可動部３１Ｄが台部１の薄板部分１１Ｂと嵌め合うように、可動部３１Ｄの外周面が切り欠かれて切り欠き部分３１Ｄ1が形成されている。切り欠き部分３１Ｄ1を形成することで細くなった部分の可動部３１Ｄの径が貫通孔１１Ｃの幅に比べて短いので、台部１の薄板部分１１Ｂに嵌め合った可動部３１Ｄは、台部１の長手方向および短手方向に移動可能である。
【００２６】
この実施の形態では可動部３１Ｄが金属等の導電材で作られているが、この他にも、絶縁材を用いた可動部３１Ｄも利用可能である。この場合には、可動部３１Ｄの雌ネジを形成する部分に対して、図６に示すように金属ブッシュ３１Ｄ11を用いることが可動部３１Ｄの磨耗を防ぐので好適である。
【００２７】
次に、この実施の形態による端子台接続用装置の使用方法について説明する。作業者が端子台１００（図１５）の接続具１２０に接続されている配電線２０１〜２０４の中の配電線２０４に例えば測定器２１０からのケーブルを接続するとき、端子台接続用装置の脚部２から内脚２１Ｂを引き出し、接触部３の接触部本体３１Ａを引き上げた状態で、図７に示すように端子台接続用装置の台部１の裏面１１Ａ2を、絶縁壁１１１、１１３の端面を覆うように配置する。この後、図８（ａ）に示すように、脚部２の内脚２１Ｂの突出部分２１Ｂ1と台部１とで端子台１００の正面側から端子台１００を挟む。このとき、脚部２のスプリング２１Ｃ（図８では図示を省略している）の縮む力により、端子台接続用装置は端子台１００に固定される。次に作業者は、図８（ｂ）に示すように、端子台接続用装置の接触部３のノブ３１Ｂを回して接触部本体３１Ａを下げ、接触子３１Ｃを接続具１２０の接続ネジ１２１に当てる。このとき、接触子３１Ｃの位置が接続ネジ１２１に対してずれていれば、作業者は可動部３１Ｄにより接触部本体３１Ａを動かして、接触子３１Ｃの位置を調節する。これにより、接触部本体３１Ａが配電線２０４と電気的に接続される。この後、作業者はノブ３１Ｂの下側に位置する接触部本体３１Ａにケーブルのクリップを挟んで測定器２１０を端子台接続用装置に接続する。
【００２８】
こうして、この実施の形態により、端子台１００（図１５）の周りで配電線２０１〜２０４が入り組んでいる状態で、１つの配電線の端子を直接クリップで挟んで測定器等からのケーブルを接続する場合に比べて、周りにケーブルが無い状態にある接触部３をクリップで挟む方が容易であり、かつ、作業性もよい。また、接触部３の接触部本体３１Ａが丸棒状であるので、クリップをどの方向からでも同じように挟むことができる。さらに、接触部３が台部１に対して移動可能であるので、端子台接続用装置を端子台１００に固定した後、端子台１００の接続ネジ１２１の位置に応じて接触子３１Ｃの位置を調節することができ、接触子３１Ｃと接続ネジ１２１との確実な接触を可能にする。
【００２９】
なお、この実施の形態では、接触部本体３１Ａをクリップで挟んで測定器等からのケーブルを接触部本体３１Ａに接続したが、あらかじめ接触部本体３１Ａに電線等を接続し、この電線等をクリップで挟むようにしてもよい。
【００３０】
（実施の形態２）
この実施の形態による端子台接続用装置を図９に示す。なお、この実施の形態では、先に説明した実施の形態１と同一または同一と見なされる構成要素には、それと同じ参照符号を付けて、その説明を省略する。図９の端子台接続用装置は、実施の形態１の接触部３に対して、Ｕ字形をしたＵ端子を接続するためのものである。このために、この実施の形態では、接触部３のノブ３１Ｂと可動部３１Ｄとの間に、固定具３２Ａが設けられている。固定具３２Ａは絶縁材で作られ、円柱状の固定具３２Ａには中心に貫通孔が開けられている。さらに、この貫通孔の内壁面には雌ネジが切られている。これにより、固定具３２Ａは接触部本体３１Ａにかみ合い、このかみ合いにより、固定具３２Ａを回転すると、接触部本体３１Ａの長手方向に固定具３２Ａを動かすことが可能になる。
【００３１】
この実施の形態による端子台接続用装置の使用方法を説明する。実施の形態１と同じように、作業者が端子台１００の接続具１２０に接続されている配電線２０１〜２０４の中の配電線２０４に例えば測定器２１０からのケーブルを接続するとき、図１０（ａ）に示すように、端子台接続用装置の脚部２を用いて端子台１００を挟む。次に作業者は、図１０（ｂ）に示すように、固定具３２Ａを回して上方に動かし、端子台接続用装置の接触部３のノブ３１Ｂを回して接触部本体３１Ａを下げ、接触子３１Ｃを接続具１２０の接続ネジ１２１に当てる。この後、作業者はＵ端子３０１を接触部本体３１Ａに差し込む。
【００３２】
作業者は、接触子３１Ｃを接続ネジ１２１に接触させた後、図１０（ｃ）に示すように、固定具３２Ａを回して下方に動かし、Ｕ端子３０１を可動部３１Ｄに接触させ、固定具３２Ａと可動部３１ＤとでＵ端子３０１を挟む。可動部３１Ｄは導電材で作られているので、Ｕ端子３０１は、可動部３１Ｄと接触部本体３１Ａと接触子３１Ｃとを経て、接続ネジ１２１と電気的に接続される。
【００３３】
こうして、この実施の形態により、接触部３の接触部本体３１Ａに固定具３２Ａを設けることにより、Ｕ端子３０１によるケーブルの接続を可能にすると同時に、Ｕ端子３０１の接続を堅固なものにすることができる。
【００３４】
（実施の形態３）
この実施の形態による端子台接続用装置を図１１に示す。なお、この実施の形態では、先に説明した実施の形態２と同一または同一と見なされる構成要素には、それと同じ参照符号を付けて、その説明を省略する。図１１の端子台接続用装置は、実施の形態２による脚部２の伸び縮みをネジで調節するものである。このために、この実施の形態では、脚部２の外脚２１Ａに対して台部１の表面１１Ａ1から空洞２１Ａ11にまで至る貫通孔２２Ａが開けられている。一方、内脚２１Ｂには、その長手方向に沿って端面から貫通孔２２Ｂが開けられ、貫通孔２２Ｂの内壁面には雌ネジが切られている。そして、貫通孔２２Ｂの雌ネジとかみ合う雄ネジが切られているネジ２２Ｃが、貫通孔２２Ａを通って貫通孔２２Ｂに入っている。
【００３５】
次に、この実施の形態による端子台接続用装置の使用方法について説明する。作業者が端子台１００の接続具１２０に接続されている配電線２０１〜２０４の中の１つに例えば測定器２１０からのケーブルを接続するとき、ネジ２２Ｃのネジ頭を回して、端子台接続用装置の脚部２から内脚２１Ｂを引き出し、台部１の裏面１１Ａ2を絶縁壁１１１、１１３の端面を覆うように配置する。この後、ネジ２２Ｃのネジ頭を回して、脚部２の内脚２１Ｂの突出部分２１Ｂ1と台部１とで端子台１００を挟んで固定する。この後、作業者はノブ３１Ｂを回して端子台１００の接続ネジ１２１と接触子３１Ｃとを接触させ、固定具３２Ａを回してケーブルのＵ端子を固定して測定器２１０を端子台接続用装置に接続する。
【００３６】
この実施の形態によれば、ネジ２２Ｃを用いて脚部２を端子台１００に固定するので、端子台接続用装置の端子台１００に対する取り付けを堅固なものにすることを可能にする。
【００３７】
（実施の形態４）
この実施の形態による端子台接続用装置の接触部３を図１２に示す。なお、この実施の形態では、先に説明した実施の形態１と同一または同一と見なされる構成要素には、それと同じ参照符号を付けて、その説明を省略する。この実施の形態に用いられている接触部３は、端子台１００（図１５）に設けられている接続具１２０の接続ネジ１２１と磁力により接触するものであり、接触部本体３３Ａ、実施の形態１のノブ３１Ｂと同じノブ３３Ｂ、接触子３３Ｃ、および可動部３３Ｄを備えている。丸棒状の接触部本体３３Ａは金属等の導電材で作られ、一端にノブ３３Ｂが取り付けられ、他端に接触子３３Ｃが取り付けられている。円板状の接触子３３Ｃは、接触部本体３３Ａと一体で形成され、さらに、磁化されている。これにより、接触子３３Ｃは端子台１００の接続ネジ１２１と引き合って接触する。このために、接触子３３Ｃとして、接続ネジ１２１に当たる面の中央が窪んでいるものでもよい。
【００３８】
可動部３３Ｄは金属等の導電材で作られている。可動部３１Ｄには、接触部本体３３Ａが移動可能な貫通孔が中心に開けられている。これにより、ノブ３３Ｂを持って上下すると接触部本体３３Ａも同様に上下に動く。可動部３３Ｄには実施の形態１と同様の切り欠き部分３３Ｄ1が形成されている。
【００３９】
次に、この実施の形態による端子台接続用装置の使用方法について説明する。作業者が端子台１００（図１５）の接続具１２０に接続されている配電線２０１〜２０４の中の１つに例えば測定器２１０からのケーブルを接続するとき、ノブ３３Ｂを持ち上げた状態で、脚部２（図１２では図示を省略している）により端子台１００を挟んで端子台接続用装置を固定する。この後、作業者はノブ３３Ｂを手から離すと、端子台１００の接続ネジ１２１と接触子３３Ｃが磁力により引き合って接触し、接触部本体３３Ａが端子台１００の配電線と電気的に接続される。そして、作業者はノブ３３Ｂの下側に位置する接触部本体３３Ａにケーブルのクリップを挟んで測定器２１０を端子台接続用装置に接続する。
【００４０】
こうして、この実施の形態により、磁化された接触子３３Ｃにより、端子台１００（図１５）の接続ネジ１２１との接触を強力にし、かつ、接触部本体３３Ａを回して動かす場合に比べて短時間で接続を行うことを可能にする。
【００４１】
（実施の形態５）
この実施の形態による端子台接続用装置を図１３に示す。なお、この実施の形態では、先に説明した実施の形態２と同一または同一と見なされる構成要素には、それと同じ参照符号を付けて、その説明を省略する。図１３の端子台接続用装置は、実施の形態２の脚部２の間に複数の接触部３を設けたものである。このために、この実施の形態では、実施の形態１の台部１に用いられている板本体１１Ａに比べて幅方向に長い板本体１１Ａ11を用いる。板本体１１Ａ11の幅方向には、実施の形態２と同様に、周囲に薄板部分１１Ｂが形成された貫通孔１１Ｃがそれぞれ開けられている。そして、各貫通孔１１Ｃには実施の形態２と同様の接触部３が設置されている。
【００４２】
次に、この実施の形態による端子台接続用装置の使用方法について説明する。作業者が端子台１００（図１５）の接続具１２０に接続されているケーブル２０１〜２０４の全部に例えば測定器２１０からのケーブルを接続するとき、端子台接続用装置の脚部２から内脚２１Ｂを引き出し、接触部３の接触部本体３１Ａを引き上げた状態で端子台接続用装置の板本体１１Ａ11が絶縁壁１１１、１１３の端面を覆うように、かつ、各接続具１２０に各接触部３が位置するように、端子台接続用装置を配置し、脚部２の内脚２１Ｂの突出部分２１Ｂ1と板本体１１Ａ11とで端子台１００を挟む。次に作業者は、実施の形態２と同じように、端子台接続用装置の各接触部３にＵ端子を接続する。
【００４３】
この実施の形態によれば、１つの端子台接続用装置を端子台１００（図１５）に取り付けると、測定器等からの複数のケーブルを端子台１００の各端子にそれぞれ接続することが可能である。
【００４４】
（実施の形態６）
この実施の形態による端子台接続用装置を図１４に示す。なお、この実施の形態では、先に説明した実施の形態５と同一または同一と見なされる構成要素には、それと同じ参照符号を付けて、その説明を省略する。図１４の端子台接続用装置は脚部２が端子台１００（図１５）を幅方向から固定するものである。このために、この実施の形態では、実施の形態５の脚部２において、内脚２１Ｂの突出部分２１Ｂ1が互いに向かい合うように、板本体１１Ａ11の幅方向に突出部分２１Ｂ1を形成している。
【００４５】
次に、この実施の形態による端子台接続用装置の使用方法について説明する。この端子台接続用装置は４つの接続具１２０が設けられている端子台１００（図１５）に利用され、作業者が端子台１００の接続具１２０に接続されているケーブル２０１〜２０４の全部に例えば測定器からのケーブルを接続するとき、端子台接続用装置の脚部２から内脚２１Ｂを引き出し、接触部３の接触部本体３１Ａを引き上げた状態で、脚部２が端子台１００を幅方向から挟むように、つまり、端子台１００の側面に脚部２が位置するように端子台接続用装置を取り付ける。この後、作業者は、実施の形態２と同じように、端子台接続用装置の各接触部３にＵ端子を接続する。
【００４６】
この実施の形態によれば、脚部２が端子台１００の側面からこの端子台１００を保持するので、端子台１００（図１５）に対する端子台接続用装置の固定を確実なものにすることができる。また、端子台１００の側面には配電線が接続されていないので、端子台１００に対する端子台接続用装置の固定が容易である。
【００４７】
以上、この発明の各実施の形態を詳述してきたが、具体的な構成はこれらの実施の形態に限られるものではなく、この発明の要旨を逸脱しない範囲の設計の変更等があっても、この発明に含まれる。例えば、実施の形態３では実施の形態２を例としたが、実施の形態１を実施の形態３に適用できることは勿論であり、また、実施の形態５、６では実施の形態２を例としたが、実施の形態１、３、４を実施の形態５、６に適用できることは勿論である。
【図面の簡単な説明】
【００４８】
【図１】実施の形態１による端子台接続用装置を示す斜視図である。
【図２】図１の端子台接続用装置の正面図である。
【図３】図１の端子台接続用装置の側面図である。
【図４】脚部を示す断面図である。
【図５】図１のＩ−Ｉ断面を示す断面図である。
【図６】可動部の他の例を示す断面図である。
【図７】実施の形態１による端子台接続用装置の使用方法を説明する図である。
【図８】実施の形態１による端子台接続用装置の使用方法を説明する図であり、図８（ａ）は接触部本体を上げた状態を示す図、図８（ｂ）は接触部本体を下げた状態を示す図である。
【図９】実施の形態２による端子台接続用装置を示す斜視図である。
【図１０】実施の形態２による端子台接続用装置の使用方法を説明する図であり、図１０（ａ）は接触部本体を上げた状態を示す図、図１０（ｂ）は接触部本体を下げた状態を示す図、図１０（ｃ）はＵ端子の接続を示す図である。
【図１１】実施の形態３による端子台接続用装置の正面図である。
【図１２】実施の形態４による端子台接続用装置の接触部の断面を示す断面図である。
【図１３】実施の形態５による端子台接続用装置を示す斜視図である。
【図１４】実施の形態６による端子台接続用装置を示す正面図である。
【図１５】端子台の一例を示す正面図であり、図１５（ａ）は正面図、図１５（ｂ）は平面図である。
【図１６】ＣＴ回路の端子台に対する接続を示す平面図である。
【図１７】ＣＴ回路の端子台に対する試験時の接続を示す平面図である。
【符号の説明】
【００４９】
１  台部
１１Ａ、１１Ａ11  板本体
１１Ａ1  表面
１１Ａ2  裏面
１１Ｂ  薄板部分
１１Ｃ  貫通孔
２  脚部（止め具）
２１Ａ  外脚
２１Ａ1  端面
２１Ａ11  空洞
２１Ａ12  開口
２１Ｂ  内脚
２１Ｂ1  突出部分
２１Ｃ  スプリング（弾性体）
３  接触部
３１Ａ、３３Ａ  接触部本体（接触体）
３１Ｂ、３３Ｂ  ノブ
３１Ｃ、３３Ｃ  接触子
３１Ｄ、３３Ｄ  可動部（保持体）
３１Ｄ1、３３Ｄ1  切り欠き部分
３１Ｄ11  金属ブッシュ
３２Ａ  固定具
２２Ａ、２２Ｂ  貫通孔
２２Ｃ  ネジ
【図１】
2008077895.tif 000003
【図２】
2008077895.tif 000004
【図３】
2008077895.tif 000005
【図４】
2008077895.tif 000006
【図５】
2008077895.tif 000007
【図６】
2008077895.tif 000008
【図７】
2008077895.tif 000009
【図８】
2008077895.tif 000010
【図９】
2008077895.tif 000011
【図１０】
2008077895.tif 000012
【図１１】
2008077895.tif 000013
【図１２】
2008077895.tif 000014
【図１３】
2008077895.tif 000015
【図１４】
2008077895.tif 000016
【図１５】
2008077895.tif 000017
【図１６】
2008077895.tif 000018
【図１７】
2008077895.tif 000019